(57)【要約】  トランスミッタの電力増幅器（ＰＡ）とアンテナとの間のインピーダンスを動的に調節し、ＰＡからアンテナに効率的に電力を送信するための方法および装置に関する。ＰＡとアンテナとの間のインピーダンスは、ＰＡが線形ＰＡであるかスイッチモードＰＡであるかにより、電力レベル計測量及び・またはＰＡ直流（ＤＣ）消費計測量により調節される。もう一つの実施形態では、第１段階線形ＰＡと、第２段階スイッチモードＰＡとを有するハイブリッドＰＡがトランスミッタに実施されている。ハイブリッドＰＡは、第１段階線形ＰＡの出力電力レベルと、ハイブリッドＰＡの出力電力レベルと、送信電力制御（ＴＰＣ）コマンドとのいずれかに応じて、第１段階線形ＰＡの出力を第２段階スイッチモードＰＡの入力およびハイブリッドＰＡの出力のいずれか一方と接続する。
2007531470.tif 000002
【特許請求の範囲】
【請求項１】
（ａ）入力信号を増幅するための電力増幅器（ＰＡ）と、
（ｂ）前記ＰＡによって増幅された信号を送信し、外部源から信号を受信するためのアンテナと、
（ｃ）前記ＰＡおよび前記アンテナと通信するインピーダンスマッチングネットワークであって、インピーダンス調節装置を少なくとも一つ有し、前記ＰＡの出力インピーダンスを前記アンテナの入力インピーダンスにマッチさせるためのインピーダンスマッチングネットワークと、
（ｄ）前記ＰＡ出力からフォワード電力レベルを計測するための第１電力検知器と、
（ｅ）前記アンテナから反射されたリバース電力レベルを計測するための第２電力検知器と、
（ｆ）前記第１及び第２電力検知器によって行われた計測の結果を受信し、計測結果に基づいて前記インピーダンス調節装置を調節するためのプロセッサと、
を備えたことを特徴とする、トランスミッタ。
【請求項２】
前記ＰＡから前記アンテナへの電力送信は、前記ＰＡの出力インピーダンスが前記アンテナの入力インピーダンスとマッチするように前記インピーダンス調節装置を調節することにより、最大化されることを特徴とする請求項１に記載のトランスミッタ。
【請求項３】
前記インピーダンス調節装置は、連続的にまたは周期的に調節されることを特徴とする請求項１に記載のトランスミッタ。
【請求項４】
前記インピーダンス調節装置は、前記フォワード電力レベルと前記リバース電力レベルとの少なくとも一つが予め決められた閾値を越えると調節されることを特徴とする、請求項１に記載のトランスミッタ。
【請求項５】
前記ＰＡはスライディングバイアスＡＢ級ＰＡであることを特徴とする請求項１に記載のトランスミッタ。
【請求項６】
前記トランスミッタはワイヤレス送受信ユニット（ＷＴＲＵ）により構成されていることを特徴とする請求項１に記載のトランスミッタ。
【請求項７】
前記トランスミッタは基地局により構成されていることを特徴とする請求項１に記載のトランスミッタ。
【請求項８】
（ａ）入力信号を増幅するための電力増幅器（ＰＡ）と、
（ｂ）前記ＰＡによって増幅された信号を送信し、外部源から信号を受信するためのアンテナと、
（ｃ）前記ＰＡおよび前記アンテナと通信するインピーダンスマッチングネットワークであって、インピーダンス調節装置を少なくとも一つ有し、前記ＰＡの出力インピーダンスを前記アンテナの入力インピーダンスにマッチさせるためのインピーダンスマッチングネットワークと、
（ｄ）前記アンテナから反射されたリバース電力レベルを計測するための電力検知器と、
（ｅ）前記ＰＡによって消費された直流（ＤＣ）レベルを計測する手段と、
（ｆ）前記電力検知器及び前記ＤＣレベル計測手段によって行われた計測の結果を受信し、計測結果に基づいて前記インピーダンス調節装置を調節するためのプロセッサと、
を備えたことを特徴とする、トランスミッタ。
【請求項９】
前記ＰＡから前記アンテナへの電力送信は、前記ＰＡの出力インピーダンスを前記アンテナの入力インピーダンスとマッチするように前記インピーダンス調節装置を調節することにより、最大化されることを特徴とする請求項８に記載のトランスミッタ。
【請求項１０】
前記インピーダンス調節装置は、連続的にまたは周期的に調節されることを特徴とする請求項８に記載のトランスミッタ。
【請求項１１】
前記インピーダンス調節装置は、前記ＤＣレベルと前記リバース電力レベルとの少なくとも一つが予め決められた閾値を越えると調節されることを特徴とする、請求項８に記載のトランスミッタ。
【請求項１２】
前記ＰＡはスイッチモードＰＡであることを特徴とする請求項８に記載のトランスミッタ。
【請求項１３】
前記トランスミッタはワイヤレス送受信ユニット（ＷＴＲＵ）により構成されていることを特徴とする請求項８に記載のトランスミッタ。
【請求項１４】
前記トランスミッタは基地局により構成されていることを特徴とする請求項８に記載のトランスミッタ。
【請求項１５】
（ａ）入力信号を受信及び増幅するためのハイブリッド電力検知器（ＰＡ）であって、（ｉ）入力信号を受信する第１入力と、第１出力とを有する第１段階線形ＰＡと、（ｉｉ）前記第１段階線形ＰＡの第１出力に接続された第２入力と、第２出力とを有する第２段階スイッチモードＰＡとを有するハイブリッドＰＡと、
（ｂ）前記第１段階線形ＰＡの出力電力レベルを計測する手段と、
（ｃ）前記ハイブリッドＰＡの出力電力レベルを計測する手段と、
（ｄ）前記第１段階線形ＰＡの出力電力レベルが予め決められた閾値を下回るとき、前記ハイブリッドＰＡの出力電力レベルが予め決められた閾値を下回るとき、または前記ハイブリッドＰＡの出力電気レベルを調節するよう要求する送信電力制御（ＴＰＣ）コマンドが受信されたとき、前記第２段階スイッチモードＰＡをバイパスする手段と、
を備えたことを特徴とする、トランスミッタ。
【請求項１６】
前記第１段階線形ＰＡは、ＡＢ級増幅器であり、前記第２段階スイッチモードＰＡは、Ｄ、Ｅ，またはＦ級ＰＡであることを特徴とする請求項１５に記載のトランスミッタ。
【請求項１７】
前記トランスミッタはワイヤレス送受信ユニット（ＷＴＲＵ）により構成されていることを特徴とする請求項１５に記載のトランスミッタ。
【請求項１８】
前記トランスミッタは基地局により構成されていることを特徴とする請求項１５に記載のトランスミッタ。
【請求項１９】
電力増幅器（ＰＡ）と、アンテナと、前記ＰＡおよびアンテナと通信するインピーダンスマッチングネットワークとを有するトランスミッタにおいてインピーダンスをマッチングする方法であって、前記インピーダンスマッチングネットワークはインピーダンス調節装置を少なくとも一つ有しており、前記方法は、
（ａ）ＰＡ出力からのフォワード電力レベルを計測するステップと、
（ｂ）前記アンテナから反射されたリバース電力レベルを計測するステップと、
（ｃ）ステップ（ａ）および（ｂ）で行われた計測の結果を受信し、計測結果に基づいて前記インピーダンス調節装置を調節するステップと、
を含むことを特徴とする方法。
【請求項２０】
前記ＰＡから前記アンテナへの電力送信は、前記ＰＡの出力インピーダンスが前記アンテナの入力インピーダンスとマッチするように前記インピーダンス調節装置を調節することにより最大化されることを特徴とする請求項１９に記載の方法。
【請求項２１】
前記インピーダンス調節装置は、連続的にまたは周期的に調節されることを特徴とする請求項１９に記載の方法。
【請求項２２】
前記インピーダンス調節装置は、前記フォワード電力レベルと前記リバース電力レベルとの少なくとも一つが予め決められた閾値を越えると調節されることを特徴とする、請求項１９に記載の方法。
【請求項２３】
前記ＰＡはスライディングバイアスＡＢ級ＰＡであることを特徴とする請求項１９に記載の方法。
【請求項２４】
電力増幅器（ＰＡ）と、アンテナと、前記ＰＡおよびアンテナと通信するインピーダンスマッチングネットワークとを有するトランスミッタにおいてインピーダンスをマッチングする方法であって、前記インピーダンスマッチングネットワークはインピーダンス調節装置を少なくとも一つ有しており、前記方法は、
（ａ）前記アンテナから反射されたリバース電力レベルを計測するステップと、
（ｂ）前記ＰＡが消費した直流（ＤＣ）レベルを計測するステップと、
（ｃ）ステップ（ａ）および（ｂ）で行われた計測の結果を受信し、計測結果に基づいて前記インピーダンス調節装置を調節するステップと、
を含むことを特徴とする方法。
【請求項２５】
前記ＰＡから前記アンテナへの電力送信は、前記ＰＡの出力インピーダンスが前記アンテナの入力インピーダンスとマッチするように前記インピーダンス調節装置を調節することにより最大化されることを特徴とする請求項２４に記載の方法。
【請求項２６】
前記インピーダンス調節装置は、連続的にまたは周期的に調節されることを特徴とする請求項２４に記載の方法。
【請求項２７】
前記インピーダンス調節装置は、前記ＤＣレベルと前記リバース電力レベルとの少なくとも一つが予め決められた閾値を越えると調節されることを特徴とする、請求項２４に記載の方法。
【請求項２８】
前記ＰＡはスイッチモードＰＡであることを特徴とする請求項２４に記載の方法。
【請求項２９】
アンテナと、前記アンテナと通信するアウトプットを有するハイブリッド電力増幅器（ＰＡ）とを有するトランスミッタの出力電力レベルを制御する方法であって、前記ハイブリッドＰＡは、第１スイッチと、第２スイッチと、第１段階線形ＰＡと、第２段階スイッチモードＰＡとを有し、前記第１及び第２スイッチが第１位置にあるときは、前記第１段階線形ＰＡの出力は前記第２段階スイッチモードＰＡの入力に接続され前記第２段階スイッチモードＰＡの出力は前記ハイブリッドＰＡの出力に接続されており、前記スイッチが第２位置にあるときは、前記第１段階線形ＰＡの出力は前記ハイブリッドＰＡの出力に直接接続されており、前記方法は
（ａ）前記スイッチを第１位置にあるように制御するステップと、
（ｂ）前記第１段階線形ＰＡの出力電力レベルを計測するステップと、
（ｃ）前記ハイブリッドＰＡの出力電力レベルを計測するステップと、
（ｄ）（ｉ）前記第１段階線形ＰＡの出力電力レベルが予め決められた閾値を下回る、
（ｉｉ）前記ハイブリッドＰＡの出力電力レベルが予め決められた閾値を下回る、
（ｉｉｉ）前記ハイブリッドＰＡの出力電力レベルを調節するよう要求する送信電力制御（ＴＰＣ）コマンドを受信する、
のイベントのうち少なくとも一つが起きると、前記スイッチを前記第１位置から第２位置にスイッチするよう制御するステップと、
を含むことを特徴とする方法。
【請求項３０】
前記第１段階ＰＡは、ＡＢ級増幅器であり、前記第２段階ＰＡは、Ｄ、Ｅ，またはＦ級ＰＡであることを特徴とする請求項２９に記載の方法。
【請求項３１】
トランスミッタの出力電力レベルを制御するための集積回路（ＩＣ）であって、
（ａ）ハイブリッド電力増幅器（ＰＡ）であって、
（ｉ）第１段階線形ＰＡと、
（ｉｉ）第２段階スイッチモードＰＡと、
（ｉｉｉ）前記第１段階線形ＰＡの出力に電気的に連結された第１スイッチと、
（ｉｖ）前記ハイブリッドＰＡの出力に電気的に連結された第２スイッチと、
を有するＰＡと、
（ｂ）第１及び第２スイッチの位置を制御するための論理手段であって、前記論理手段が前記第１及び第２スイッチを第１位置におくときは、前記第１段階線形ＰＡの出力は前記第２段階スイッチモードＰＡの入力に接続され前記第２段階スイッチモードＰＡの出力はハイブリッドＰＡの出力に接続されており、前記論理手段が前記第１及び第２スイッチを第２位置におくときは、前記第１段階線形ＰＡの出力は前記ハイブリッドＰＡの出力に直接接続される、論理手段と、
を備えたことを特徴とするＩＣ。
【請求項３２】
前記論理手段は、前記第１段階線形ＰＡの出力電力レベルが予め決められた閾値を下回ると前記スイッチを前記第２位置におくことを特徴とする、請求項３１に記載のＩＣ。
【請求項３３】
前記論理手段は、前記ハイブリッドＰＡの出力電力レベルが予め決められた閾値を下回ると、前記スイッチを前記第２位置におくことを特徴とする、請求項３１に記載のＩＣ。
【請求項３４】
前記論理手段は、前記ハイブリッドＰＡの出力電力レベルを調節するよう要求する送信電力制御（ＴＰＣ）コマンドを受信したとき、前記スイッチを前記第２位置におくことを特徴とする、請求項３１に記載のＩＣ。
【請求項３５】
前記第１段階線形ＰＡは、ＡＢ級増幅器であり、前記第２段階ＰＡは、Ｄ、Ｅ，またはＦ級ＰＡであることを特徴とする請求項３１に記載のＩＣ。
【発明の詳細な説明】
【技術分野】
【０００１】
本発明は、トランスミッタの作用増強に関する。より具体的には、本発明は、トランスミッタの電力増幅器（ＰＡ）とトランスミッタのアンテナとの間でインピーダンスを動的に調節し、スイッチモードＰＡの入力と線形ＰＡの出力とを選択的に接続するハイブリッドＰＡをトランスミッタ内に実施することに関する。
【背景技術】
【０００２】
無線通信システムにおいては、送信信号はアンテナから送信される前にＰＡで増幅される。現在、減少伝導角ＡＢＰＡ（つまりＢ級と同様）が定包絡変調方式に用いられ、増大伝導角ＡＢＰＡ（つまりＡ級と同様）が非一定包絡変調方式に用いられている。トランスミッタの効率を増強し電池の消費を減少させるため、スライディングバイアス（つまり電流および電圧）のＡＢ級ＰＡも用いられている。従来のＰＡにおける典型的な付加電力効率（ＰＡＥ）は、最大出力電力で大体３５％である。
【０００３】
理論的には、スイッチモードのＰＡは１００％の効率を達成することができる。実際のスイッチモードＰＡの実施では、５０％以上（典型的には６０から７０％）のＰＡＥを達成することが示されている。しかし、ユーザー装置（ＵＥ）グレードのトランスミッタに適している低価格スイッチモードＰＡの動的領域は、典型的には４０ｄＢよりも少ない。
【０００４】
第３世代パートナーシッププロジェクト（３ＧＰＰ）の典型的なトランスミッタは、時分割複信（ＴＤＤ）および周波数分割複信（ＦＤＤ）の両方共、少なくとも８０ｄＢの出力電力制御領域をサポートできなければならない。従って、ＵＥグレードのトランスミッタの最終段階として、スイッチモードの電力増幅器のみを用いることはできない。
【０００５】
ＰＡに関するもう一つの重要なパラメーターは、アンテナへの最大出力送信を実現するインピーダンスマッチングである。ＰＡの出力インピーダンスがアンテナの入力インピーダンスとマッチするようにすることは重要である。ミスマッチが起きた場合、ＰＡからアンテナへの電力伝達は減少し、これはトランスミッタの非効率化と電池電力消費増大という結果をもたらす。
【発明の開示】
【発明が解決しようとする課題】
【０００６】
スライディングバイアス付のＡＢ級ＰＡの場合、ＰＡ出力は最大レートの出力電力における負荷に一致するようになっている。負荷状態は、アンテナの運用状態に基づいて変更される。スライディングバイアスＡＢ級ＰＡでは、ＰＡの出力インピーダンスは直流（ＤＣ）のバイアスと共に変化する。ＤＣバイアスは、出力負荷と同様、ＡＢ級ＰＡの出力マッチを最適化しこれによって効率を最大化するため、変化する出力電力レベルに従って動的に調節される必要がある。負荷は、ＰＡのバイアス状況の変化とアンテナが示す負荷状況の変化とによる影響を補うため、動的に調節されなければならない。
【課題を解決するための手段】
【０００７】
本発明は、電力をＰＡからアンテナに効率的に伝達するために、トランスミッタのＰＡとトランスミッタのアンテナとの間のインピーダンスを動的に調節するための方法と装置とに関する。
【０００８】
一つの実施形態では、インピーダンスは、線形ＰＡのフォワード電力レベルと、アンテナから反射されたリバース電力レベルとの計測値に基づいて調節される。線形ＰＡとアンテナとの間のインピーダンスは、この計測結果に基づいて調節される。
【０００９】
もう一つの実施形態においては、インピーダンスは、アンテナから反射されたリバース電力レベルとスイッチモードＰＡによって消費された直流（ＤＣ）レベルとの計測値に基づいて調節される。
【００１０】
さらにもう一つの実施形態においては、第１段階線形ＰＡと第２段階スイッチモードＰＡとを有するハイブリッドＰＡがトランスミッタ内に実現される。ハイブリッドＰＡは、第1段階線形ＰＡの出力電力レベルか、ハイブリッドＰＡの出力電力レベルか、または送信電力制御（ＴＰＣ）コマンドに示される要求かに応じて、第１段階線形ＰＡの出力を、第２段階スイッチモードＰＡの入力およびハイブリッドＰＡの出力のいずれか一方と選択的に接続する。
【００１１】
本発明を実施する装置は、トランスミッタでも、基地局でも、ワイヤレス送受信ユニット（ＷＴＲＵ）でも、集積回路（ＩＣ）などでもよい。
【発明を実施するための最良の形態】
【００１２】
これ以降、“ＷＴＲＵ”という用語は、ＵＥ，移動局、固定または移動加入者端末、ページャー、または、ワイヤレス環境で機能し得る他のどのような種類の装置も含むが、これらに限られるものではない。
【００１３】
これ以降言及される基地局という用語は、アクセスポイント（ＡＰ），ノード−Ｂ、サイトコントローラ、または、ワイヤレス環境におけるどのようなインターフェース装置も含むが、これらに限られるものではない。この発明は特に、ワイヤレスローカルエリアネットワーク（ＷＬＡＮ）に適用可能である。
【００１４】
本発明の特徴は、ＩＣに統合されてもよいし、相互接続コンポーネントを多数含む回路に設定されてもよい。
【００１５】
図１は、本発明の一つの実施形態に係る、スライディングバイアスＡＢ級ＰＡユニット１１０の動的負荷チューニングのための装置（例えば、トランスミッタなど）１００のブロック図である。この装置は、スライディングバイアスＡＢ級ＰＡユニット１１０と、インピーダンスマッチングネットワーク１２０と、フィードバックネットワーク１３０とを備える。
【００１６】
図１に示されるように、ＰＡユニット１１０は、インピーダンスマッチングネットワーク１２０を介して、ラジオ周波数（ＲＦ）入力ポート１１２から入力信号を受信し、アンテナ１５０（またはアンテナアレー）から増幅された信号を出力する。ＰＡユニット１１０はどのような種類の増幅器（例えば、バイポーラ接合トランジスタ増幅器またはＭＯＳＦＥＴ増幅器）でもよい。アンテナ１５０は、増幅された信号を受信し、それを空気インターフェースでワイヤレス送信する。インピーダンスマッチングネットワーク１２０は、ＰＡユニット１１０の出力インピーダンスとアンテナ１５０の入力インピーダンスとをマッチするものである。アンテナ１５０に最大の電力を伝達するために、ＰＡユニット１１０の出力インピーダンスはアンテナ１５０の入力インピーダンスとマッチされるべきである。
【００１７】
インピーダンスマッチングネットワーク１２０は、スイッチモードＰＡユニット１１０の出力インピーダンスがアンテナ１５０の入力インピーダンスとマッチするようにネットワーク１２０のインピーダンスを調節するためのインピーダンス調節装置１２２（例えば可変キャパシタ）を少なくとも一つ備えている。インピーダンスマッチングネットワーク１２０は、ＰＡユニット１１０とアンテナ１５０との間のインピーダンスマッチングを実施するため、キャパシタ、インダクタ、レジスタ、導波路などの装置の、どのような既知の組み合わせを含んでもよい。
【００１８】
図１に示されるように、インピーダンス調節装置１２２はフィードバックネットワーク１３０が生成するフィードバック信号１４２によって調節される。フィードバックネットワーク１３０は、ＰＡユニット１１０から伝達されたフォワード電力レベルとアンテナ１５０から反射されたリバース電力レベルとを検知した後でフィードバック信号を生成する。図１に表示の典型的なフィードバック１３０は、カプラ１３２ａ、１３２ｂと、電力検知器１３４ａ、１３４ｂと、プロセッサ１４０とを有する。カプラ１３２ａ、１３２ｂは、インピーダンスマッチングネットワーク１２０からの送信線からの、アンテナ１５０に供給するための信号を連結する。２つのカプラ１３２ａ、１３２ｂは、送信信号と反射信号とを連結するために備えられている。
【００１９】
図１に示されているように、カプラ１３２ａ、１３２ｂによって連結された信号の電力レベルは電力検知器１３４ａ、１３４ｂによって検知される。２つの電力検知器１３４ａ、１３４ｂは、フォワード電力レベル１３６ａとリバース電力レベル１３６ｂとのためにそれぞれ備えられている。若しくは、電力検知器一つが、フォワード及びリバース電力１３６ａ、１３６ｂを一度に一つ選択的に提供するためのスイッチと共に用いられてもよい。検知されたフォワード及びリバース電力レベルは、それぞれのアナログ・デジタルコンバータ（ＡＤＣ）１３８ａ、１３８Ｂによって変換され、プロセッサ１４０に送信される。プロセッサ１４０は次に、デジタル・アナログコンバータ（ＤＡＣ）１４２を介してインピーダンス調節装置１２２にフィードバック信号１４４を提供する。インピーダンスのミスマッチが起きると、リバース電力レベル１３６ｂがフォワード電力レベル１３６ａに比して増加する。従ってプロセッサ１４０は、フォワード電力レベル１３６ａに比してのリバース電力レベル１３６ｂの増加に従い、負荷状況の変化を補うためにフィードバック信号１４４を生成する。
【００２０】
図１に示すように、フィードバック信号１４４はインピーダンス調節装置１２２を介してインピーダンスマッチングネットワーク１２０に入り、インピーダンスマッチング装置１２２のインピーダンスはフィードバック信号１４４に従って調節される。インピーダンス調節装置１２２のインピーダンスは連続的にまたは周期的に調節され得る。若しくは、インピーダンス調節装置１２２のインピーダンスは、フォワード電力レベル１３６ａとリバース電力レベル１３６ｂとの少なくとも一つが予め決定された閾値を越えたときに調節されてもよい。
【００２１】
図２は、本発明のもう一つの実施形態に従ってスイッチモードＰＡユニット２１０の動的負荷チューニングをするための装置（例えば、トランスミッタ）２００の典型的なブロック図である。装置２００は、スイッチモードＰＡユニット２１０と、インピーダンスマッチングネットワーク２２０と、フィードバックネットワーク２３０とを有する。
【００２２】
図２に示されるように、インピーダンスマッチングネットワーク２２０を介して、スイッチモードＰＡユニット２１０はＲＦ入力ポート２１２から入力信号を受信し、増幅された信号をアンテナ２５０（またはアンテナアレー）に出力する。アンテナ２５０は、増幅された信号を受信し、それを空気インターフェースを介してワイヤレスに送信する。インピーダンスマッチングネットワーク２２０は、ＰＡユニット２１０の出力インピーダンスをアンテナ２５０の入力インピーダンスにマッチするためのものである。
【００２３】
インピーダンスマッチングネットワーク２２０は、スイッチモードＰＡ２１０の出力インピーダンスがアンテナ２５０の入力インピーダンスにマッチするようネットワーク２２０のインピーダンスを調節するために、インピーダンス調節装置２２２（例えば、可変キャパシタ）を少なくとも一つ備えている。インピーダンスマッチングネットワーク２２０は、ＰＡユニット２１０とアンテナ２５０との間のインピーダンスマッチングを実現するため、キャパシタ、インダクタ、レジスタ、導波路などの装置の、いかなる既知の組み合わせを含んでもよい。
【００２４】
図２に示すように、インピーダンス調節装置２２２は、フィードバックネットワーク２３０が生成したフィードバック信号２４４によって調節される。フィードバックネットワーク２３０は、アンテナ２５０から反射されたリバース電力レベル２５５と、ＰＡユニット２１０によって消費された直流（ＤＣ）レベル２６０とを検知した後にフィードバック２４４を生成する。図２に示される例示的なフィードバックネットワーク２３０は、カプラ２３２と、電力検知器２３４と、プロセッサ２３６とを有する。カプラ２３２は、インピーダンス調節ネットワーク２２０をアンテナ２５０に連結し、アンテナによって電力検知器２３４に反射された信号のサンプルを提供する。
【００２５】
カプラ２３２によって連結された信号の電力レベルは電力検知器２３４によって検知される。検知された電力レベルはプロセッサ２３６に送られる。プロセッサ２３６はさらに、ＤＣレベルを検知する。プロセッサ２３６は、検知されたリバース電力レベルとＤＣレベルとからフィードバック信号２４４を生成する。インピーダンスミスマッチが起きると、リバース電力レベル２５５が増加し、ＰＡユニット２１０によって消費されるＤＣレベル２６０がさらに増加して理想出力量から離れる。従ってプロセッサ２３６は、リバース電力パワー２５５とＤＣレベル２６０との増加に従って、負荷状況の変化を補うためにフィードバック信号１４４を生成する。
【００２６】
図２に示されるように、フィードバック信号２４４はインピーダンス調節装置２２２を介してインピーダンスマッチングネットワーク２２０に入力され、インピーダンス調節装置２２２のインピーダンスはフィードバック信号２４４に従って調節される。インピーダンス調節装置２２２のインピーダンスは連続的にまたは周期的に調節され得る。若しくは、インピーダンス調節装置２２２のインピーダンスは、リバース電力レベル２５５とＤＣレベル２６０との少なくとも一つが予め決定された閾値を越えたときに調節されてもよい。
【００２７】
図３Ａ、３Ｂは、本発明に従ってハイブリッド多段階ＰＡユニット３１０の最適ＰＡモードを決定するための装置（例えば、トランスミッタ）３００のブロック図である。装置３００は、ハイブリッドＰＡユニット３１０と、モードスイッチネットワーク３２０とを有する。ハイブリッドＰＡユニット３１０は、第２段階ＰＡ３１２ｂに直列に接続された第1段階ＰＡ３１２ａと、バイパスネットワーク３１４と、電力検知器３３８と、閾値比較器３４０と、論理回路３４２とを有する。モードスイッチネットワークは、プロセッサ３２５と、モデム３３０と、修正ユニット３３２と、ＤＡＣ３３４と、入力信号３５０をハイブリッドＰＡユニット３１０に提供するラジオトランスミッタ３３６とを有する。ハイブリッドＰＡユニット３１０からの出力電力は、カプラ３２２と電力検出器３２４とを介してアンテナに供給される。カプラ３２２と電力検出器３２４とは、出力電力レベルをそれぞれ検知及び計測し、望ましくはそれをＡＤＣ３２８を用いてデジタル信号に変換する。ＡＤＣ３２８は、ハイブリッドＰＡユニット３１０の出力のデジタル計測値をプロセッサ３２５に提供する。プロセッサ３２５はそして、ＰＡモード選択信号３５５を生成する。バイパスネットワーク３１４は、ＰＡモード選択信号３５５に従って「オン」または「オフ」に設定される。
【００２８】
バイパスネットワーク３１４は、少なくとも２つのスイッチＳ１及びＳ２を含む。バイパス３１４がオフのとき、図３Ａに示すように、スイッチＳ１は第1段階ＰＡ３１２ａの出力を第２段階ＰＡ３１２Ｂの入力に接続し、スイッチＳ２は第２段階ＰＡ３１２Ｂの出力をカプラ３２２の入力に接続する。バイパスネットワーク３１４がオンのときは、図３Ｂに示すように、スイッチＳ１及びＳ２は第２段階ＰＡ３１２ｂをバイパスし、第1段階ＰＡ３１２ａの出力を直接カプラ３２２に接続する。
【００２９】
バイパスネットワーク３１４は、論理回路３４２によって出力されたバイパスネットワーク制御信号３７０によって制御される。第1段階ＰＡ３１２ａは、ハイブリッドＰＡユニット３１０の送信電力範囲のうち、第２段階ＰＡ３１２ｂとは異なる部分をサポートする。第1段階ＰＡ３１２ａは、第２段階ＰＡ３１２ｂとは異なる級に属している。例えば、第1段階ＰＡ３１２ａは、線形のＡＢ級ＰＡであり、第２段階ＰＡ３１２ｂは、スイッチモードのＤ、Ｅ、またはＦ級のＰＡであってよい。第１段階ＰＡ３１２ａは、送信作用（出力電力）範囲の下方部分をサポートし、第２段階ＰＡ３１２ｂは、送信作用範囲の上方部分をサポートするのに用いられる。従って全体的な効率が
【００３０】
モードスイッチネットワーク３２０は、出力電力の要求値に応じて、バイパスネットワーク３１４をオンおよびオフに選択的にスイッチ（つまり、スイッチングヒステリシスに応じて）する。送信電力要求値が低レベルである場合、モードスイッチネットワーク３２０はバイパスネットワーク３１４をオンにし、図３Ｂに示すように入力信号が第1段階ＰＡ３１２ａのみによって増幅されるようにする。送信電力要求値が予め決められた閾値よりも高い場合、モードスイッチネットワーク３２０はバイパスネットワーク３１４をオフにし、入力信号が第1段階ＰＡ３１２ａ及び第２段階ＰＡ３１２ｂの両方によって増幅され、従ってハイブリッドＰＡユニット３１０が異なるモードで作用するようにする。
【００３１】
モードスイッチネットワーク３２０は、ハイブリッドＰＡユニット３１０の出力電力レベルに応じて、バイパスネットワーク３１４をオンおよびオフに設定してよい。ハイブリッドＰＡユニット３１０からの出力電力が予め決められた閾値よりも低い場合、モードスイッチネットワーク３２０はバイパスネットワーク３１４をオンにし、入力信号は第1段階ＰＡ３１２ａのみによって増幅されるようにする。ハイブリッドＰＡユニット３１０からの出力電力が予め決められた閾値よりも高い場合、モードスイッチネットワーク３２０はバイパスネットワーク３１４をオフにし、入力信号が第1段階ＰＡ３１２ａ及び第２段階ＰＡ３１２ｂの両方によって増幅されるようにする。
【００３２】
第1段階ＰＡ３１２ａは、ラジオトランスミッタ３３６から入力信号を受信し、増幅信号を出力する。第２段階ＰＡ３１２ｂの入力は、第１段階ＰＡ３１２ａの出力に接続されている。図３Ａに示されるようにバイパスネットワーク３１４がオフのとき、第２段階ＰＡ３１２ｂは、第１段階ＰＡ３１２ａによって出力された増幅された信号をさらに増幅する。
【００３３】
若しくは、モードスイッチネットワーク３２０は、モデム３３０によって提供された送信電力制御（ＴＰＣ）コマンド信号３６５に基づいてバイパスネットワーク３１４をオン及びオフにしてよい。閉ループ電力制御システムにおいては、受信局は送信局から信号を受信し、送信局の送信電力制御のためにＴＰＣコマンドを送信局に送り返す。本発明は、ＴＰＣコマンドを増幅の最適モードを選択するのに用いる。もし、ＴＰＣコマンド信号３６５に基づく送信電力が予め決められた閾値を越えない場合、モードスイッチネットワーク３２０は、バイパスネットワーク３１４をオンに設定し、これにより入力信号が第１段階ＰＡ３１２ａのみによって増幅されるようになる。ＴＰＣコマンドに基づく送信電力要求値が予め決められた閾値よりも高い時は、モードスイッチネットワーク３２０はバイパスネットワーク３１４をオフに設定し、これにより入力信号３５０はＰＡ３１２ａ、ＰＡ３１２ｂの両方によって増幅されるようになる。オン及びオフに設定するための閾値は、ヒステリシスに応じて異なる値に設定されてよい。
【００３４】
ＴＰＣコマンドがモードスイッチネットワーク３２０のモデム３３０に検知されたとき、ＴＰＣコマンドはＴＰＣコマンド信号３６５を介してプロセッサ３２５に入力される。プロセッサ３２５は、ＴＰＣコマンド信号３５５に基づいてＰＡモード選択信号３５５を生成する。バイパスネットワーク３１４は、ＰＡモード選択信号３５５に基づいてオン及びオフに設定される。
【００３５】
ハイブリッドＰＡユニット３１０は電力検知器３３８及び閾値比較器３４０を自動モード選択に用いる。電力検知器３３８は、第1段階ＰＡ３１２ａから出力された送信電力レベルを検知し、検知された電力レベルは閾値比較器３４０によって予め決められた閾値と比較される。もし、第1段階ＰＡ３１２ａから出力された送信電力が予め決められた閾値を越える場合は、閾値比較器３４０はバイパスネットワーク３１４をオフにするためにＰＡモード選択信号３６０を生成する。もし、第1段階ＰＡ３１２ａから出力された送信電力が予め決められた閾値を下回る場合は、閾値比較器３４０はバイパスネットワーク３１４をオンに設定するためにＰＡモード選択信号３５５を生成し、第２段階ＰＡ３１２ｂはバイパスされる。バイパスネットワーク３１４をオン及びオフに設定するための閾値は、ヒステリシスに応じて異なる値に設定されてよい。
【００３６】
ハイブリッドＰＡユニット３１０は、プロセッサ３２５によって生成されたＰＡモード選択信号３５５と閾値比較器３４０によって生成されたＰＡモード選択信号３６０とを組み合わせるために論理ユニット３４２を用いる。
【００３７】
ハイブリッドＰＡユニット３１０のモードスイッチによる瞬間的ゲイン及び挿入位相変化は、修正ユニット３３２によってデジタルベースバンドにおいて修正される。修正ユニット３３２は、モデム３３０によって生成された信号３３１の同相（Ｉ）及び直交（Ｑ）要素を修正する。プロセッサ３２５から受信した信号の少なくとも一つに基づき、修正ユニット３３２はＤＡＣ３３４を介してラジオトランスミッタ３３６に信号を出力し、ラジオトランスミッタ３３６に入力信号３５０の出力電力レベルを上げるまたは下げることを指示する。例えば、バイパスネットワーク３１４がオンのとき、修正ユニットはラジオトランスミッタ３３６に入力信号３５０の電力レベルを増加するよう指示する。
【００３８】
本願発明は、ＰＡの複雑性、サイズ、熱放射を減少することにより、高い集積性及びシングルチップのトランシーバを用いる可能性という利点を有する。本願発明は、パフォーマンスを維持しつつ部品の変化に対する免疫を高めることにより、高い歩留まりという結果をもたらし、トランスミッタの全体的な効率を改善して電池の寿命を延ばす。
【００３９】
図４は、電力レベルフィードバックに基づいて図１の装置１００においてＰＡユニット１１０とアンテナ１５０との間のインピーダンスをマッチする方法ステップを含むプロセス４００のフロー図である。ＰＡユニット１１０は、入力信号１１２を受信し（ステップ４０２）、入力信号１１２を増幅し（ステップ４０４）、そして増幅された入力信号をインピーダンスマッチングネットワーク１２０を介してアンテナ１５０に送信する（ステップ４０６）。ＰＡユニット１１０からのフォワード電力レベル１３６ａとアンテナ１４０から反射されたリバース電力レベル１３６ｂとが計測される（ステップ４０８）。フィードバック信号１４４は、フォワード電力レベル１３６ａとリバース電力レベル１３６ｂとの計測値に基づいて生成される。マッチングネットワーク１２０のインピーダンスは、ＰＡユニット１１０の出力インピーダンスがアンテナ１５０の入力インピーダンスとマッチするよう、フィードバック信号１４４に基づいて調節される（ステップ４１２）。
【００４０】
フォワード電力レベル１３６ａとリバース電力レベル１３６ｂとは、それぞれＡＤＣ１３８ａおよび１３８ｂによってアナログからデジタル信号に変換され、プロセッサ１４０に入力されてよい。プロセッサはそして、インピーダンスマッチングネットワーク１２０のインピーダンス調節装置１２２を調節するためのデジタルフィードバック信号を出力し、デジタルフィードバック信号は、ＤＡＣ１４２を介してアナログフィードバック信号１４４に変換されてよい。インピーダンスネットワーク１２０におけるインピーダンス調節装置１２２のインピーダンスは、連続的にまたは周期的に調節され得る。若しくは、インピーダンス調節装置１２２は、フォワード電力レベル１３６ａとリバース電力レベル１３６ｂとの少なくとも一つが予め決定された閾値を越えたときに調節されてもよい。
【００４１】
図５は、電力レベルフィードバックに基づいて図２の装置２００においてＰＡユニット２１０とアンテナ２５０との間のインピーダンスをマッチする方法ステップを含むプロセス５００のフロー図である。ＰＡユニット２１０は、入力信号２１２を受信し（ステップ５０２）、入力信号を増幅する（ステップ５０４）。増幅された入力信号は、アンテナ２５０に送信される（ステップ５０６）。アンテナ２５０から反射されたリバース電力レベル２５５と、ＰＡユニット２１０で消費されたＤＣレベル２６０とが計測される（ステップ５０８）。リバース電力レベル２５５及びＤＣレベル２６０に基づき、フィードバック信号２４４が生成される（ステップ５１０）。インピーダンスマッチングネットワーク２２０のインピーダンスは、ＰＡユニット２１０の出力インピーダンスがアンテナ２５０の入力インピーダンスにマッチするよう、フィードバック信号２４４に基づいて調節される（ステップ５１２）。
【００４２】
リバース電力レベル２５５とＤＣレベル２６０とは、アナログからデジタル信号へ変換されてよい。デジタルの形態であるフィードバック信号２４４は、インピーダンスマッチングネットワーク２２０のインピーダンス調節装置２２２を調節するために、アナログ信号に変換され直してもよい。インピーダンスネットワーク２２０におけるインピーダンス調節装置２２２は、連続的にまたは周期的に調節され得る。若しくは、インピーダンス調節装置は、リバース電力レベル２５５とＤＣレベル２６０との少なくとも一つが予め決定された閾値を越えたときに調節されてもよい。
【００４３】
図６は、図３の装置３００においてハイブリッドＰＡユニット３１０の最適ＰＡモードを決定する方法ステップを含むプロセス６００のフロー図である。ステップ６０２では、第1段階ＰＡ３１２ａと第２段階ＰＡ３１２ｂとを含むハイブリッドＰＡユニット３１０が提供される。第１段階ＰＡ３１２ａは、第２段階ＰＡ３１２ｂの入力に接続された出力を有する。ＰＡ３１２ａ、３１２ｂは、異なる級に属し、直列に接続されている。各ＰＡ３１２ａ、３１２ｂは、ハイブリッドＰＡユニット３１０の送信電力範囲の異なる部分をサポートしている。
【００４４】
ハイブリッドＰＡ３１０によって提供されたゲインは、受信されたＴＰＣコマンドによって制御され、第２段階ＰＡ３１２ｂは、ＴＰＣコマンドの要求に応じて、選択的にバイパス及び／または無効にされる。
【００４５】
さらに図６を参照すると、ＴＰＣコマンドはモデム３３０によって受信され、プロセッサ３２５に転送される（ステップ６０４）。ステップ６０６では、第1段階ＰＡ３１２ａの出力の電力レベルは、閾値比較器３４０によって用いられるために電力検知器３３８によって計測される（ステップ６０８）。ステップ６０８では、ハイブリッドＰＡユニット３１０全体の出力電力レベル（つまり、送信電力）が、プロセッサ３２５によって用いられるために電力検知器３２４によって計測される。ステップ６１０では、論理回路３４２が、ステップ６０４で受信したＴＰＣコマンド（つまり、ＰＡモード選択信号３５５）と、第１段階ＰＡ３１２ａの出力電力レベル計測値（つまり、ＰＡモード選択信号３６０）と、電力検知器３２４に検知されたハイブリッドＰＡ３１０全体の出力電力レベル計測値との少なくとも一つに基づいて、第２段階ＰＡ３１２ｂをバイパスするべきか否かを決定する。
【００４６】
本願発明の特徴及び要素が特定の組み合わせとして望ましい実施形態に記載されているが、各特徴及び要素は望ましい実施形態の他の特徴及び要素なしで単独でも用いられてもよいし、本願発明の他の特徴および要素を含むまたは含まない種々の組み合わせにおいて用いることができる。
【００４７】
本願発明を望ましい実施形態として記載したが、請求項に記載される発明の範囲に属する他のバリエーションは、当業者には明らかである。
【図面の簡単な説明】
【００４８】
本発明は、例示として与えられており添付の図面と共に理解されるべき以下の記述により、より詳細に理解されえるものである。
【図１】本発明の一実施形態にかかる、スライディングバイアスＡＢ級ＰＡユニットの動的負荷チューニングのための装置のブロック図である。
【図２】本発明のもう一つの実施形態にかかる、スイッチモードＰＡユニットの動的負荷チューニングのための装置のブロック図である。
【図３Ａ】本発明のもう一つの実施形態にかかる、２つのＰＡモードのうちの、ハイブリッドＰＡユニットの第１及び第２段階ＰＡの両方を用いた一つを実施するための装置のブロック図である。
【図３Ｂ】図３Ａの装置が、第１段階ＰＡのみを用いハイブリッドＰＡユニットの第２段階ＰＡをバイパスした、２つのＰＡモードのうちのもう一方を実施するときのブロック図である。
【図４】電力レベルフィードバックに基づいて、図１の装置のＰＡとアンテナとの間のインピーダンスをマッチさせるための方法ステップを含むプロセスのフロー図である。
【図５】電力レベルフィードバックに基づいて、図２の装置のＰＡとアンテナとの間のインピーダンスをマッチさせるための方法ステップを含むプロセスのフロー図である。
【図６】電力レベルフィードバックとＴＰＣコマンドとに基づいて、図３の装置のＰＡユニットの第２増幅段階を選択的にバイパスする方法ステップを含むプロセスのフロー図である。
【図１】
2007531470.tif 000003
【図２】
2007531470.tif 000004
【図３Ａ】
2007531470.tif 000005
【図３Ｂ】
2007531470.tif 000006
【図４】
2007531470.tif 000007
【図５】
2007531470.tif 000008
【図６】
2007531470.tif 000009
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
アンテナと、前記アンテナと通じているアウトプットを有するハイブリッド電力増幅器（ＰＡ）とを有するトランスミッタの出力電力レベルを制御する方法であって、前記ハイブリッドＰＡは、第１スイッチと、第２スイッチと、第１段階線形ＰＡと、第２段階スイッチモードＰＡとを有し、前記第１及び第２スイッチが第１位置にあるときは、前記第１段階線形ＰＡの出力は前記第２段階スイッチモードＰＡの入力に接続され前記第２段階スイッチモードＰＡの出力は前記ハイブリッドＰＡの出力に接続されており、前記スイッチが第２位置にあるときは、前記第１段階線形ＰＡの出力は前記ハイブリッドＰＡの出力に直接接続されており、前記方法は
（ａ）前記スイッチを第１位置にあるように制御するステップと、
（ｂ）前記第１段階線形ＰＡの出力電力レベルを計測するステップと、
（ｃ）前記ハイブリッドＰＡの出力電力レベルを計測するステップと、
（ｄ）（ｉ）前記第１段階線形ＰＡの出力電力レベルが予め決められた閾値を下回る、
（ｉｉ）前記ハイブリッドＰＡの出力電力レベルが予め決められた閾値を下回る、
（ｉｉｉ）前記ハイブリッドＰＡの出力電力レベルを調節するよう要求する送信電力制御（ＴＰＣ）コマンドを受信する、
のイベントのうち少なくとも一つが起きると、前記スイッチを前記第１位置から第２位置にスイッチするよう制御するステップと、
を含むことを特徴とする方法。
【請求項２】
前記第１段階ＰＡは、ＡＢ級増幅器であり、前記第２段階ＰＡは、Ｄ、Ｅ，またはＦ級ＰＡであることを特徴とする請求項１に記載の方法。
【請求項３】
トランスミッタの出力電力レベルを制御するための集積回路（ＩＣ）であって、
（ａ）ハイブリッド電力増幅器（ＰＡ）であって、
（ｉ）第１段階線形ＰＡと、
（ｉｉ）第２段階スイッチモードＰＡと、
（ｉｉｉ）前記第１段階線形ＰＡの出力に電気的に連結された第１スイッチと、
（ｉｖ）前記ハイブリッドＰＡの出力に電気的に連結された第２スイッチと、
を有するＰＡと、
（ｂ）第１及び第２スイッチの位置を制御するための論理手段であって、前記論理手段が前記第１及び第２スイッチを第１位置におくときは、前記第１段階線形ＰＡの出力は前記第２段階スイッチモードＰＡの入力に接続され前記第２段階スイッチモードＰＡの出力はハイブリッドＰＡの出力に接続されており、前記論理手段が前記第１及び第２スイッチを第２位置におくときは、前記第１段階線形ＰＡの出力は前記ハイブリッドＰＡの出力に直接接続される、論理手段と、
を備えたことを特徴とするＩＣ。
【請求項４】
前記論理手段は、前記第１段階線形ＰＡの出力電力レベルが予め決められた閾値を下回ると前記スイッチを前記第２位置におくことを特徴とする、請求項３に記載のＩＣ。
【請求項５】
前記論理手段は、前記ハイブリッドＰＡの出力電力レベルが予め決められた閾値を下回ると、前記スイッチを前記第２位置におくことを特徴とする、請求項３に記載のＩＣ。
【請求項６】
前記論理手段は、前記ハイブリッドＰＡの出力電力レベルを調節するよう要求する送信電力制御（ＴＰＣ）コマンドを受信したとき、前記スイッチを前記第２位置におくことを特徴とする、請求項３に記載のＩＣ。
【請求項７】
前記第１段階線形ＰＡは、ＡＢ級増幅器であり、前記第２段階ＰＡは、Ｄ、Ｅ，またはＦ級ＰＡであることを特徴とする請求項３に記載のＩＣ。
【国際調査報告】
2007531470.tif 000010
2007531470.tif 000011